(57)【特許請求の範囲】
【請求項１】
表示手段と、
該表示手段上における位置を指定する位置指定手段と、
当該電子機器の備える機能の調整量を調整するためのスライダを前記表示手段に表示するスライダ表示手段と、
前記スライダ表示手段により表示された前記スライダに対して前記位置指定手段で行われたユーザによるスライド操作の指定位置に対応する調整位置を前記スライダに対応させて表示する調整位置表示手段と、
前記ユーザによるスライド操作の速度が予め設定されている調整量の変化速度より速いか否かを判別する判別手段と、
前記判別手段により前記ユーザによるスライド操作の速度が前記予め設定されている調整量の変化速度より速いと判別された場合には、該ユーザによるスライド操作の速度より遅い速度へ変化するように調整量を制御する制御手段と、
前記制御手段により制御される調整量に対応する位置を前記スライダに対応させて表示する制御位置表示手段と
を備えることを特徴とする電子機器。
【請求項２】
前記制御手段は、前記判別手段により前記ユーザによるスライド操作の速度が前記予め設定されている調整量の変化速度より速いと判別された場合には、該予め設定されている調整量の変化速度に基づいて調整量を制御する一方、該ユーザによるスライド操作の速度が該予め設定されている調整量の変化速度以下と判別された場合には、該ユーザによるスライド操作の速度に基づいて調整量を制御することを特徴とする請求項１に記載の電子機器。
【請求項３】
前記制御手段は、前記判別手段により前記ユーザによるスライド操作の速度が前記予め設定されている調整量の変化速度以下と判別された場合に、ユーザによるスライド操作の速度に対応する速度で、調整量を制御前記調整位置表示手段により表示されている調整位置に対応するレベルまで前記調整量を変化させた後に停止させることを特徴とする請求項２に記載の電子機器。
【請求項４】
前記予め設定されている調整量の変化速度は、調整量の調整範囲を分割した複数の領域の各々に設定可能であり、
前記判別手段は、前記ユーザによるスライド操作の速度が、前記スライド操作に対応する領域に対して設定されている調整量の変化速度より速いか否かを判別することを特徴とする請求項１乃至３のいずれか一項に記載の電子機器。
【請求項５】
前記調整位置表示手段により表示されている調整位置と前記制御位置表示手段により表示されている調整位置とが一致するか否かを判別する一致判別手段と、
前記一致判別手段により、前記調整位置表示手段により表示されている調整位置と前記制御位置表示手段により表示されている調整位置とが一致していると判別された場合、前記調整位置表示手段により表示されている調整位置と前記制御位置表示手段により表示されている調整位置との表示形態を変更する表示形態変更手段と
を更に備えることを特徴とする請求項３又は４に記載の電子機器。
【請求項６】
前記調整位置表示手段により表示されている調整位置と前記制御位置表示手段により表示されている調整位置とが一致するか否かを判別する一致判別手段と、
前記一致判別手段により、前記調整位置表示手段により表示されている調整位置と前記制御位置表示手段により表示されている調整位置とが一致していると判別された場合、前記スライダ表示手段により表示されているスライダの表示形態を変更するスライダ表示形態変更手段と
を更に備えることを特徴とする請求項３又は４に記載の電子機器。
【請求項７】
前記予め設定されている調整量の変化速度は、ユーザにより設定可能であることを特徴とする請求項１乃至４のいずれか一項に記載の電子機器。
【請求項８】
前記予め設定されている調整量の変化速度は、調整量が増加方向の場合と減少方向の場合とで異なるように設定されることを特徴とする請求項１乃至４のいずれか一項に記載の電子機器。
【請求項９】
前記機能は、音声を出力する機能であって、
前記調整量は、前記出力される音声の音量であることを特徴とする請求項１乃至８のいずれか一項に記載の電子機器。
【請求項１０】
前記機能は、撮影機能であって、
前記調整量は、前記撮影機能におけるズーム調整量であることを特徴とする請求項１乃至８のいずれかに記載の電子機器。
【請求項１１】
前記位置指定手段は、タッチパネルであることを特等とする請求項１乃至８のいずれか一項に記載の電子機器。
【請求項１２】
表示手段と該表示手段上における位置を指定する位置指定手段とを備える電子機器における調整量制御方法であって、
当該電子機器の備える機能の調整量を調整するためのスライダを前記表示手段に表示するスライダ表示ステップと、
前記スライダ表示ステップにより表示された前記スライダに対して前記位置指定手段で行われたユーザによるスライド操作の指定位置に対応する調整位置を前記スライダに対応させて表示する調整位置表示ステップと、
前記ユーザによるスライド操作の速度が予め設定されている調整量の変化速度より速いか否かを判別する判別ステップと、
前記判別ステップにより前記ユーザによるスライド操作の速度が前記予め設定されている調整量の変化速度より速いと判別された場合には、該ユーザによるスライド操作の速度より遅い速度で変化するように調整量を制御する制御ステップと、
前記制御ステップにより制御される調整量に対応する位置を前記スライダに対応させて表示する制御位置表示ステップと
を含むことを特徴とする調整量制御方法。
【請求項１３】
表示手段と該表示手段上における位置を指定する位置指定手段とを備える電子機器のコンピュータに、
当該電子機器の備える機能の調整量を調整するためのスライダを前記表示手段に表示するスライダ表示機能、
前記スライダ表示機能により表示された前記スライダに対して前記位置指定手段で行われたユーザによるスライド操作の指定位置に対応する調整位置を前記スライダに対応させて表示する調整位置表示機能、
前記ユーザによるスライド操作の速度が予め設定されている調整量の変化速度より速いか否かを判別する判別機能、
前記判別機能により前記ユーザによるスライド操作の速度が前記予め設定されている調整量の変化速度より速いと判別された場合には、該ユーザによるスライド操作の速度より遅い速度で変化するように調整量を制御する制御機能、
前記制御機能により制御される調整量に対応する位置を前記スライダに対応させて表示する制御位置表示機能
を実現させるためのプログラム。
【発明の詳細な説明】
【技術分野】
【０００１】
本発明は、電子機器、及びプログラムに関する。
【背景技術】
【０００２】
従来より、電子ボリュームで音量制御を行う機器が多数存在するが、急激な音量変化操作にリアルタイムに追従して音量を変化させると、再生音量が急激に変化しユーザの耳に衝撃を与えてしまう悪影響もある。そこで、増幅器の大音量調整域で音量を連続して増加するときに、急激な音量の上昇を抑えることができ、その大音量調整域で音量を連続して減少させるときに、急激な音量の絞り込みができるようにした電子ボリュームの技術が開示されている（例えば、特許文献１参照）。
【先行技術文献】
【特許文献】
【０００３】
【特許文献１】特開平１１−６８４８４号公報
【発明の概要】
【発明が解決しようとする課題】
【０００４】
ところで、上記従来技術では、ロータリースイッチを使用したものであるが、スライダを使用した電子ボリュームも存在している。スライダを使用した電子ボリュームでは、指が滑りロータリースイッチと比べ、より急激に変化させてしまう悪影響も高い。ユーザは、音量の変化を確認しながら、スライダを移動／調整しなければならず、その操作にストレスを感じたり、不快になるという問題があった。また、この問題は、音量に限らず、水量、風量、温度、レンズ移動量といった調整量全般についての共通の課題といえる。
【０００５】
そこで本発明は、ユーザに与える不快感や悪影響を回避することができる電子機器、及びプログラムを提供することを目的とする。
【課題を解決するための手段】
【０００６】
この発明は、
表示手段と、
該表示手段上における位置を指定する位置指定手段と、
当該電子機器の備える機能の調整量を調整するためのスライダを前記表示手段に表示するスライダ表示手段と、
前記スライダ表示手段により表示された前記スライダに対して前記位置指定手段で行われたユーザによるスライド操作の指定位置に対応する調整位置を前記スライダに対応させて表示する調整位置表示手段と、
前記ユーザによるスライド操作の速度が予め設定されている調整量の変化速度より速いか否かを判別する判別手段と、
前記判別手段により前記ユーザによるスライド操作の速度が前記予め設定されている調整量の変化速度より速いと判別された場合には、該ユーザによるスライド操作の速度より遅い速度へ変化するように調整量を制御する制御手段と、
前記制御手段により制御される調整量に対応する位置を前記スライダに対応させて表示する制御位置表示手段と
を備えることを特徴とする。
【発明の効果】
【０００７】
この発明によれば、ユーザに与える不快感や悪影響を回避することができる。
【図面の簡単な説明】
【０００８】
【図１】本発明の実施形態による電子機器１の構成を示すブロック図である。
【図２】本実施形態による、動画再生、音楽再生時の音量調整を行うための音量調整用設定速度テーブル７１の一例を示す概念図である。
【図３】本実施形態による、撮影時のズーム調整を行うためのズーム量調整用設定速度テーブル７２の一例を示す概念図である。
【図４】本実施形態による音量調整用スライドバー１０ａ、１０ｂの一例を示す模式図である。
【図５】本実施形態によるズーム量調整用スライドバー２０ａ、２０ｂの一例を示す模式図である。
【図６】本実施形態による音量調整用スライドバー１０ａ、１０ｂの一例を示す模式図である。
【図７】本実施形態によるズーム量調整用スライドバー２０ａ、２０ｂの一例を示す模式図である。
【図８】本実施形態による音量調整用スライドバー１０ａ、１０ｂの一例を示す模式図である。
【図９】本実施形態によるズーム量調整用スライドバー２０ａ、２０ｂの一例を示す模式図である。
【図１０】本実施形態による、音量が増加方向に操作された場合でのスライド速度、設定速度、及び実際の音量変化を示す概念図である。
【図１１】本実施形態による、音量が減少方向に操作された場合でのスライド速度、設定速度、及び実際の音量変化を示す概念図である。
【図１２】本実施形態による電子機器１の動作（メインルーチン）を説明するためのフローチャートである。
【図１３】本実施形態による電子機器１の動作（メインルーチン）を説明するためのフローチャートである。
【図１４】本実施形態による調整量制御処理の動作を説明するためのフローチャートである。
【図１５】本実施形態による調整量制御処理の動作を説明するためのフローチャートである。
【発明を実施するための形態】
【０００９】
本発明は、タッチインターフェースのスライダによる制御量の変更操作に対する応答表示を、ユーザ操作に対する表示と実際の制御量変化とに対する表示の２つに分け、最終的な制御変更量を表示しつつ、ユーザに不快感や悪影響を与えないように設定されている適切な速度で制御量を変化させる。
【００１０】
例えば、制御量が音量である場合、小音量域では、ユーザの音量変更操作に実際の音量変化を追随させ、中大音量域では、ユーザの音量変更操作に対して実際の音量変化の加速度を低下させることで、ユーザに与える急激な音量変化による不快感や悪影響を回避しつつ、ストレスの少ない調整量で調整することができる。
【００１１】
以下、本発明の実施の形態を、図面を参照して説明する。
【００１２】
Ａ．実施形態の構成
図１は、本発明の実施形態による電子機器１の構成を示すブロック図である。図において、電子機器１は、携帯電話、スマートフォン、ＰＤＡ、デジタルカメラ、タブレット端末などの撮影・再生機能を有する電子機器である。電子機器１は、制御部２、操作部３、撮像部４、電源部５、タッチ表示部（タッチパネル６１、表示パネル６２）６、記憶部７を備えている。
【００１３】
制御部２は、電子機器１の各部を制御するワンチップマイコンである。特に、本実施形態では、制御部２は、動画再生、または音楽再生時の音量調整、あるいは動画撮影時のズーム量調整において、ユーザによりタッチパネル６１（後述）に対してスライド操作されると、その操作位置、スライド方向、スライド速度、予め設定された設定速度などのパラメータに従って、動画再生、または音楽再生時の音量調整、あるいは動画撮影時のズーム量調整の制御を行うようになっている。
【００１４】
また、制御部２は、スライド操作ではなく、ユーザが調整したいボリューム位置に直接タッチ操作した場合を想定し、ユーザによりタッチパネル６１（後述）に対してタッチ操作されると、そのタッチ位置、増加／減少方向、予め設定された設定速度などのパラメータに従って、動画再生、または音楽再生時の音量調整、あるいは動画撮影時のズーム量調整の制御を行うようにもなっている。
【００１５】
特に、本発明では、タッチインターフェースのスライダによる調整量変更操作に対する応答表示を、操作に対する表示と実際の調整変化とに対する表示との２つに分け、最終的な調整変更量を表示しつつ、ユーザに不快感や悪影響を与えないように、設定されている適切な速度で調整量を変化させるため、ユーザ操作による調整量変化と実際の調整量変化とが異なる場合がある。このため、制御部２は、ユーザに不快感や悪影響を与えないように、上記動画再生、または音楽再生時の音量調整、あるいは動画撮影時のズーム量調整において、表示パネル６２に表示する、音量調整用のスライドバー、あるいはズーム量調整用のスライドバーに係る表示を制御する。
【００１６】
操作部３は、電源ボタン等の複数の操作キーを含み、ユーザのキー操作に応じた操作信号を制御部２に出力する。撮像部４は、フォーカスレンズ、ズームレンズ、撮像素子などを含み、被写体像を撮像素子上に結像し、投影された被写体の光を電気信号に変換して出力する。電源部５は、例えば、二次電池からなり、各部に電力を供給する。
【００１７】
タッチ表示部６は、タッチパネル６１と表示パネル６２とを備えている。表示パネル６２は、カラーＬＣＤや有機ＥＬ（Electro Luminescence）ディスプレイ、バックライトなどとその駆動回路とを含み、各種データや、撮像部４によって撮像された画像や、動画を表示する。特に、本実施形態では、例えば、動画再生や、音楽再生時に、音量を設定するためのスライドバーを表示するようになっている。
【００１８】
タッチパネル６１は、表示パネル６２上に設けられた透過型のタッチセンサであり、タッチ位置と表示パネル６２上の位置（座標）とが対応付けられている。特に、本実施形態では、動画再生や、音楽再生時、撮影時などに、表示パネル６２に表示されたスライドバーをスライド操作したり、所望する位置をタッチ操作したりすることで、音量や、ズーム量を調整するために用いられる。
【００１９】
記憶部７は、撮像された画像や、動画を記憶するメモリや、制御部２による、電子機器１の各部の制御に必要なプログラム、及び各部の制御に必要なデータを保持するメモリなどからなる。特に、本実施形態では、記憶部７は、音量調整用設定速度テーブル７１とズーム調整用設定速度テーブル７２とを備えている。音量調整用設定速度テーブル７１は、動画再生、または音楽再生時の音量調整で用いられ、ズーム調整用設定速度テーブル７２は、動画撮影時のズーム量調整で用いられる。以下、詳細に説明する。
【００２０】
図２は、本実施形態による、動画再生、音楽再生時の音量調整を行うための音量調整用設定速度テーブル７１の一例を示す概念図である。本実施形態では、音量調整範囲を３つ領域ａ１、ａ２、ａ３に分割し、スライド方向／タッチ位置の増加方向、減少方向のそれぞれで、各領域ａ１、ａ２、ａ３の各々に設定速度ｓ１、ｓ２、ｓ３（増加方向）、速度ｔ１、ｔ２、ｔ３（減少方向）を対応付けて記憶する音量調整用設定速度テーブル７１を備えている。設定速度ｓ１、ｓ２、ｓ３（増加方向）、速度ｔ１、ｔ２、ｔ３（減少方向）は、音量変化の閾値であり、出荷時に工場で予め設定されるが、ユーザにより設定可能としてもよい。
【００２１】
制御部２は、タッチ表示部６に表示される音量調整用スライドバー（後述）がスライド操作された場合には、上記音量調整用設定速度テーブル７１を参照し、スライド操作された領域に応じた設定速度を取得し、スライド速度が設定速度より大である場合には、該設定速度で音量を変化させ、スライド速度が設定速度より小である場合には、スライド速度で音量を変化させる。また、制御部２は、タッチ表示部６に表示される音量調整用スライドバーがタッチ操作された場合には、上記音量調整用設定速度テーブル７１を参照し、タッチ操作された領域（位置）に応じた設定速度を取得し、該設定速度で音量を変化させる。
【００２２】
図３は、本実施形態による、撮影時のズーム調整を行うためのズーム量調整用設定速度テーブル７２の一例を示す概念図である。本実施形態では、音量調整と同様に、ズーム量調整範囲を３つ領域ｂ１、ｂ２、ｂ３に分割し、スライド方向／タッチ位置の増加方向、減少方向のそれぞれで、各領域ｂ１、ｂ２、ｂ３の各々に設定速度ｕ１、ｕ２、ｕ３（増加方向）、速度ｖ１、ｖ２、ｖ３（減少方向）を対応付けて記憶するズーム量調整用設定速度テーブル７２を備えている。設定速度ｕ１、ｕ２、ｕ３（増加方向）、速度ｖ１、ｖ２、ｖ３（減少方向）は、出荷時に工場で予め設定されるが、ユーザにより設定可能としてもよい。
【００２３】
制御部２は、タッチ表示部６に表示されるズーム量調整用スライドバー（後述）がスライド操作された場合に、上記ズーム量調整用設定速度テーブル７２を参照し、スライド操作された領域に応じた設定速度を取得し、スライド速度が設定速度より大である場合には、該設定速度でズーム量を変化させ、スライド速度が設定速度より小である場合には、スライド速度でズーム量を変化させる。また、制御部２は、タッチ表示部６に表示されるズーム量調整用スライドバーがタッチ操作された場合には、上記ズーム量調整用設定速度テーブル７２を参照し、タッチ操作された領域（位置）に応じた設定速度を取得し、該設定速度でズーム量を変化させる。
【００２４】
なお、設定速度を「０」とすることで、常にユーザのスライド速度に追随した速度で調整することが可能となる。また、悪影響の小さい小音量のような特定の領域だけ、あるいは、減少方向の全領域というように設定してもよい。
【００２５】
図４（ａ）、（ｂ）は、各々、本実施形態による音量調整用スライドバー１０ａ、１０ｂの一例を示す模式図である。図４（ａ）に示す音量調整用スライドバー１０ａは、音量のミュート（消音）から最大までの音量設定範囲を示すスライダ１１ａと、音量の大小を示すアイコン１２ａ、１３ａと、ユーザの操作位置を示す第１アイコン１４ａと、実際の音量位置を示す第２アイコン１５ａとから構成される。同様に、図４（ｂ）に示す音量調整用のスライドバー１０ｂは、音量のミュート（消音）から最大までの音量設定範囲を示すスライダ１１ｂと、音量の大小を示すアイコン１２ｂ、１３ｂと、ユーザの操作位置を示す第１アイコン１４ｂと、実際の音量位置を示す第２アイコン１５ｂとから構成される。
【００２６】
図４（ａ）の音量調整用スライドバー１０ａでは、第１アイコン１４ａと第２アイコン１５ａとがスライダ１１ａの下側に配置されており、図４（ｂ）の音量調整用スライドバー１０ｂでは、第１アイコン１４ｂと第２アイコン１５ｂとがバー１１ｂの内側に配置されている点が異なっている。
【００２７】
いずれの例でも、ユーザは、第１アイコン１４ａ、１４ｂを左右にスライド操作することで音量を調整する。これに対して、電子機器１側では、スライド速度で第１アイコン１４ａ、１４ｂを左右に移動させる。一方、スライド速度が、操作された第１アイコン１４ａ、１４ｂが位置する領域に応じた設定速度より大である場合には、該設定速度で音量を変化させるとともに、その変化に連動させて第２アイコン１５ａ、１５ｂを左右に移動させる。また、スライド速度が設定速度より小である場合には、スライド速度で音量を変化させるとともに、その変化に連動させて第２アイコン１５ａ、１５ｂを左右に移動させる。
【００２８】
したがって、スライド操作の位置、スライド速度、及び設定速度の関係で、ユーザの操作位置を示す第１アイコン１４ａ、１４ｂと、実際の音量位置を示す第２アイコン１５ａ、１５ｂとは、図４（ａ）、（ｂ）に示すように、同じ位置にあるとは限らず、ユーザの操作位置を示す第１アイコン１４ａ、１４ｂの移動に追随するように、実際の音量位置を示す第２アイコン１５ａ、１５ｂが移動、すなわち実際の音量が変化することになる。
【００２９】
図５（ａ）、（ｂ）は、各々、本実施形態によるズーム量調整用スライドバー２０ａ、２０ｂの一例を示す模式図である。図５（ａ）に示すズーム量調整用スライドバー２０ａは、ワイド端からテレ端までのズーム設定位置を示すスライダ２１ａと、ワイド端、テレ端のそれぞれを示すアイコン２２ａ、２３ａと、ユーザの操作位置を示す第１アイコン２４ａと、実際のズーム位置を示す第２アイコン２５ａとから構成される。
【００３０】
同様に、図５（ｂ）に示すズーム量調整用スライドバー２０ｂは、ワイド端からテレ端までのズーム設定位置を示すスライダ２１ｂと、ワイド端、テレ端のそれぞれを示すアイコン２２ｂ、２３ｂと、ユーザの操作位置を示す第１アイコン２４ｂと、実際のズーム位置を示す第２アイコン２５ｂとから構成される。
【００３１】
図５（ａ）、（ｂ）の違いは、図４（ａ）、（ｂ）と同様に、ズーム量調整用スライドバー２０ａでは、第１アイコン２４ａと第２アイコン２５ａとがスライダ２１ａの下側に配置されており、ズーム量調整用スライドバー２０ｂでは、第１アイコン２４ｂと第２アイコン２５ｂとがスライダ２１ｂの内側に配置されている点が異なっている。
【００３２】
いずれの例でも、ユーザは、第１アイコン２４ａ、２４ｂを左右にスライド操作することでズーム位置を調整する。これに対して、電子機器１側では、スライド速度で第１アイコン２４ａ、２４ｂを左右に移動させる。一方、スライド速度が、操作された第１アイコン２４ａ、２４ｂが位置する領域に応じた設定速度より大である場合には、該設定速度でズーム量を変化させるとともに、その変化に連動させて第２アイコン２５ａ、２５ｂを左右に移動させる。また、スライド速度が設定速度より小である場合には、スライド速度でズーム量を変化させるとともに、その変化に連動させて第２アイコン２５ａ、２５ｂを左右に移動させる。
【００３３】
したがって、スライド操作位置、スライド速度、及び設定速度の関係で、ユーザの操作位置を示す第１アイコン２４ａ、２４ｂと、実際のズーム位置を示す第２アイコン２５ａ、２５ｂとは、図５（ａ）、（ｂ）に示すように、同じ位置にあるとは限らず、ユーザの操作位置を示す第１アイコン２４ａ、２４ｂの移動に追随するように、実際のズーム位置を示す第２アイコン２５ａ、２５ｂが移動すること、すなわち実際のズーム量が変化することになる。
【００３４】
図６（ａ）、（ｂ）は、各々、本実施形態による音量調整用スライドバー１０ａ、１０ｂの一例を示す模式図である。上述した図４（ａ）、（ｂ）に示す表示形態において、第１アイコン１４ａ、１４ｂと第２アイコン１５ａ、１５ｂとの位置が一致した場合には、ユーザが容易に認識できるように、図６（ａ）、（ｂ）に示すように、第３アイコン１６ａ、１６ｂに変更して表示する。
【００３５】
図７（ａ）、（ｂ）は、各々、本実施形態によるズーム量調整用スライドバー２０ａ、２０ｂの一例を示す模式図である。上述した図５（ａ）、（ｂ）に示す表示形態において、第１アイコン２４ａ、２４ｂと第２アイコン２５ａ、２５ｂとの位置が一致した場合には、ユーザが容易に認識できるように、図７（ａ）、（ｂ）に示すように、第３アイコン２６ａ、２６ｂに変更して表示する。
【００３６】
なお、図６（ａ）、（ｂ）、及び図７（ａ）、（ｂ）では、第３アイコン１６ａ、１６ｂ、２６ａ、２６ｂに変更するようにしたが、これに限らず、色を変えるようにしてもよい。
【００３７】
図８（ａ）、（ｂ）は、各々、本実施形態による音量調整用スライドバー１０ａ、１０ｂの一例を示す模式図である。上述した図４（ａ）、（ｂ）に示す表示形態において、第１アイコン１４ａ、１４ｂと第２アイコン１５ａ、１５ｂとの位置が一致した場合に、ユーザが容易に認識できるように、図８（ａ）、（ｂ）に示すように、スライダ１１ａ、１１ｂを強調表示するようにしてもよい。
【００３８】
図９（ａ）、（ｂ）は、各々、本実施形態によるズーム量調整用スライドバー２０ａ、２０ｂの一例を示す模式図である。上述した図５（ａ）、（ｂ）に示す表示形態において、第１アイコン２４ａ、２４ｂと第２アイコン２５ａ、２５ｂとの位置が一致した場合には、ユーザが容易に認識できるように、図９（ａ）、（ｂ）に示すように、スライダ２１ａ、２１ｂを強調表示するようにしてもよい。
【００３９】
なお、図８（ａ）、（ｂ）、図９（ａ）、（ｂ）では、スライダを強調表示するようにしたが、これに限らず、スライダ１１ａ、１１ｂ、及び２１ａ、２１ｂの色を変えるようにしてもよい。
【００４０】
図１０（ａ）、（ｂ）、（ｃ）は、本実施形態による、音量が増加方向に操作された場合でのスライド速度、設定速度、及び実際の音量変化を示す概念図である。図１０（ａ）、（ｂ）、（ｃ）には、横軸に時間、縦軸に調整量をとっており、線分の傾きは変化速度を表わし、傾きが大きいほど変化速度が大きいことを表わしている。また、破線Ｌ１がスライド速度、点線Ｌ２が設定速度、実線Ｌ３が実際の音量変化速度を表わしている。
【００４１】
図１０（ａ）には、スライド速度Ｌ１が領域ａ１〜ａ３の全てで設定速度Ｌ２（ｓ１、ｓ２、ｓ３）より速いので、実線Ｌ３（＝設定速度Ｌ２）に従って実際の音量を変化させる様子が示されている。図１０（ｂ）には、スライド速度Ｌ１が領域ａ１〜ａ３の全てで設定速度Ｌ２（ｓ１、ｓ２、ｓ３）より遅いので、実線Ｌ３（＝スライド速度Ｌ１）に追随して実際の音量を変化させる様子が示されている。また、図１０（ｃ）では、スライド速度Ｌ１が、領域ａ１、ａ２で設定速度Ｌ２（ｓ１、ｓ２）より速く、領域ａ３の一部で同じになり、その後、設定速度Ｌ２（ｓ３）より遅くなるというように途中で変化している。この場合、領域ａ１、ａ２では、実線Ｌ３（＝設定速度Ｌ２）で実際の音量を変化させ、双方が同じになった領域ａ３の一部では、スライド速度Ｌ１（＝Ｌ２＝Ｌ３）で実際の音量を変化させ、領域ａ３の後半では、実線Ｌ３（＝スライド速度Ｌ１）で実際の音量を変化させる。
【００４２】
図１１（ａ）、（ｂ）、（ｃ）は、本実施形態による、音量が減少方向に操作された場合でのスライド速度、設定速度、及び実際の音量変化を示す概念図である。図１１（ａ）、（ｂ）、（ｃ）には、横軸に時間、縦軸に調整量をとっており、線分の傾きは変化速度を表わし、傾きが大きいほど変化速度が大きいことを表わしている。また、破線Ｌ１がスライド速度、点線Ｌ２が設定速度、実線Ｌ３が実際の音量変化速度を表わしている。
【００４３】
図１１（ａ）では、スライド速度Ｌ１が領域ａ３〜ａ１の全てで設定速度Ｌ２（ｔ３、ｔ２、ｔ１）より速いので、実線Ｌ３（＝設定速度Ｌ２）に従って実際の音量を変化させる。図１１（ｂ）では、スライド速度Ｌ１が領域ａ３〜ａ１の全てで設定速度Ｌ２（ｔ３、ｔ２、ｔ１）より遅いので、実線Ｌ３（＝スライド速度Ｌ１）に追随して実際の音量を変化させる。また、図１１（ｃ）では、スライド速度Ｌ１が、領域ａ３、ａ２で設定速度Ｌ２（ｔ３、ｔ２）より速く、領域ａ１の半ばまで設定速度Ｌ２（ｔ１）より速く、その後、設定速度Ｌ２（ｔ１）より遅くなるというように途中で変化している。この場合、領域ａ３、ａ２、及び領域ａ１の半ばまでは、実線Ｌ３（＝設定速度Ｌ２）で実際の音量を変化させ、領域ａ１で設定速度Ｌ２より遅くなってからは、実線Ｌ３（＝スライド速度Ｌ１）で実際の音量を変化させる。
【００４４】
Ｂ．実施形態の動作
次に、上述した実施形態の動作について説明する。
図１２、及び図１３は、本実施形態による電子機器１の動作（メインルーチン）を説明するためのフローチャートである。まず、制御部２は、動画再生であるか否かを判断し（ステップＳ１０）、ユーザにより動画再生が指示されている場合には（ステップＳ１０のＹＥＳ）、ユーザにより指定された動画ファイルの再生を行うとともに、動画再生中の表示を行う（ステップＳ１２）。動画再生中には、動画ファイルの再生、一時停止、早送り、逆戻し、停止などの動作指示アイコンや、音量調整用スライドバー１０ａ、１０ｂ（図４（ａ）、（ｂ）や、図６（ａ）、（ｂ）を参照）がタッチ表示部６に表示される。そして、再生中に、音量調整操作があったか否かを判断する（ステップＳ１４）。
【００４５】
音量調整操作とは、例えば、図４（ａ）に示す例では、表示パネル６２上に表示されている音量調整スライドバー１０ａ（図４（ａ）を参照）の第１アイコン１４ａが、ユーザによりタッチパネル６１上で左右にスライド操作されることや、ユーザにより音量調整スライドバー１０ａ上の設定したい位置がタッチ操作されることを意味する。そして、再生中に、ユーザにより音量調整操作が行われた場合には（ステップＳ１４のＹＥＳ）、図２の音量調整用設定速度テーブル７１を参照し、スライド操作位置、スライド速度、スライド方向、及び設定速度、あるいはタッチ操作位置、増加／減少方向、及び設定速度に従って、動画再生中の音量を調整する調整量制御処理を実行する（ステップＳ１６）。なお、該調整量制御処理の詳細については後述する。その後、ステップＳ１４に戻り、動画再生を継続する。
【００４６】
一方、動画再生中に、ユーザにより音量調整操作が行われない場合には（ステップＳ１４のＮＯ）、ユーザにより停止操作が行われたか否かを判断する（ステップＳ１８）。そして、動画再生中に、ユーザにより停止操作が行われた場合には（ステップＳ１８のＹＥＳ）、再生している動画に対して停止処理を実行し（ステップＳ２０）、ステップＳ１０に戻る。
【００４７】
また、動画再生中に、音量調整操作も、停止操作も行われなかった場合には（ステップＳ１８のＮＯ）、早送り、逆戻し、一時停止等のその他の操作が行われたか否かを判断し（ステップＳ２２）、その他の操作が行われた場合には（ステップＳ２２のＹＥＳ）、行われた操作に応じた処理を実行し（ステップＳ２４）、ステップＳ１４に戻り、動画再生を継続する。一方、その他の操作も行われなかった場合には（ステップＳ２２のＮＯ）、ステップＳ１４に戻り、動画再生を継続する。
【００４８】
一方、ユーザにより動画再生が指示されていない場合には（ステップＳ１０のＮＯ）、音楽再生が指示されているか否かを判断する（ステップＳ２６）。そして、音楽再生が指示されている場合には（ステップＳ２６のＹＥＳ）、ユーザにより指定された音楽ファイルの再生を行うとともに、音楽再生中の表示を行う（ステップＳ２８）。音楽再生中には、音楽ファイルの再生、一時停止、早送り、逆戻し、停止などの動作指示アイコンや、音量調整用スライドバー１０ａ、１０ｂ（図４（ａ）、（ｂ）や図６（ａ）、（ｂ）を参照）がタッチ表示部６に表示される。そして、音楽再生中に、音量調整操作があったか否かを判断する（ステップＳ３０）。
【００４９】
音量調整操作とは、例えば、図４（ａ）に示す例では、表示パネル６２上に表示されている音量調整スライドバー１０ａ（図４（ａ）を参照）の第１アイコン１４ａが、ユーザによりタッチパネル６１上で左右にスライド操作されることや、ユーザにより音量調整スライドバー１０ａ上の設定したい位置がタッチ操作されることを意味する。そして、音楽再生中に、ユーザにより音量調整操作が行われた場合には（ステップＳ３０のＹＥＳ）、図２の音量調整用設定速度テーブル７１を参照し、スライド操作位置、スライド速度、スライド方向、及び設定速度、あるいはタッチ操作位置、増加／減少方向、及び設定速度に従って、音楽再生中の音量を調整する調整量制御処理を実行する（ステップＳ３２）。なお、該調整量制御処理の詳細については後述する。その後、ステップＳ３０に戻り、音楽再生を継続する。
【００５０】
一方、音楽再生中に、ユーザにより音量調整操作が行われない場合には（ステップＳ３０のＮＯ）、ユーザにより停止操作が行われたか否かを判断する（ステップＳ３４）。そして、音楽再生中に、ユーザにより停止操作が行われた場合には（ステップＳ３４のＹＥＳ）、音楽再生を停止する停止処理を実行し（ステップＳ３６）、ステップＳ１０に戻り、上述した処理を繰り返す。
【００５１】
また、音楽再生中に、音量調整操作も、停止操作も行われなかった場合には（ステップＳ３４のＮＯ）、早送り、逆戻し、一時停止等のその他の操作が行われたか否かを判断し（ステップＳ３８）、その他の操作が行われた場合には（ステップＳ３８のＹＥＳ）、行われた操作に応じた処理を実行し（ステップＳ４０）、ステップＳ３０に戻り、音楽再生を継続する。一方、その他の操作も行われなかった場合には（ステップＳ３８のＮＯ）、ステップＳ３０に戻り、音楽再生を継続する。
【００５２】
一方、動画再生でも、音楽再生でもなかった場合には（ステップＳ２６のＮＯ）、撮影の指示操作があったか否かを判断する（図１３のステップＳ４２）。そして、撮影の指示操作がなかった場合には（ステップＳ４２のＮＯ）、静止画再生、設定等のその他の操作が行われたか否かを判断し（ステップＳ４４）、その他の操作が行われた場合には（ステップＳ４４のＹＥＳ）、行われた操作に応じた処理を実行し（ステップＳ４６）、図１２のステップＳ１０に戻り、上述した処理を繰り返す。一方、その他の操作も行われなかった場合には（ステップＳ４４のＮＯ）、何もせずにステップＳ１０に戻り、上述した処理を繰り返す。
【００５３】
一方、撮影の指示操作があった場合には（ステップＳ４２のＹＥＳ）、撮像部４により取り込んだ撮影画像を表示パネル６２に出力してライブビュー表示を行う（ステップＳ４８）。ライブビュー表示中には、撮影開始を指示するレリーズ操作、終了操作、静止画再生、設定などの動作指示アイコンや、ズーム量調整用スライドバー２０ａ、２０ｂ（図５（ａ）、（ｂ）や図７（ａ）、（ｂ）を参照）がタッチ表示部６に表示される。そして、ライブビュー表示中に、ズーム操作があったか否かを判断する（ステップＳ５０）。
【００５４】
ズーム操作とは、例えば、図５（ａ）に示す例では、表示パネル６２上に表示されているズーム量調整スライドバー２０ａ（図５（ａ）を参照）の第１アイコン２４ａが、ユーザによりタッチパネル６１上で左右にスライド操作されることや、ユーザによりズーム量調整スライドバー２０ａ上の設定したい位置がタッチ操作されることを意味する。そして、ライブビュー表示中に、ユーザによりズーム操作が行われた場合には（ステップＳ５０のＹＥＳ）、図３のズーム調整用設定速度テーブル７２を参照し、スライド操作位置、スライド速度、スライド方向、及び設定速度、あるいはタッチ操作位置、増加／減少方向、及び設定速度に従って、ズーム量を調整する調整量制御処理を実行する（ステップＳ５２）。なお、該調整量制御処理の詳細については後述する。その後、ステップＳ５０に戻り、撮影動作を継続する。
【００５５】
一方、ライブビュー表示中に、ユーザによりズーム操作が行われない場合には（ステップＳ５０のＮＯ）、ユーザによりレリーズ操作が行われたか否かを判断する（ステップＳ５４）。そして、ライブビュー表示中に、ユーザによりレリーズ操作が行われた場合には（ステップＳ５４のＹＥＳ）、撮影部４によりシーン設定、露出調整などを行って撮影を行う（ステップＳ５６）。その後、ステップＳ５０に戻り、撮影処理を継続する。
【００５６】
一方、ズーム操作も、レリーズ操作も行われなかった場合には（ステップＳ５４のＮＯ）、ユーザにより終了操作が行われたか否かを判断する（ステップＳ５８）。そして、ライブビュー表示や、撮影中に、ユーザにより終了操作が行われた場合には（ステップＳ５８のＹＥＳ）、撮影を終了する終了処理を実行し（ステップＳ６０）、図１２のステップＳ１０に戻り、上述した処理を繰り返す。
【００５７】
また、ライブビュー表示や、撮影中に、ズーム操作も、レリーズ操作も、終了操作も行われなかった場合には（ステップＳ５８のＮＯ）、シーン設定、露出調整等のその他の操作が行われたか否かを判断し（ステップＳ６２）、その他の操作が行われた場合には（ステップＳ６２のＹＥＳ）、行われた操作に応じた処理を実行し（ステップＳ６４）、ステップＳ５０に戻り、撮影処理を継続する。一方、その他の操作も行われなかった場合には（ステップＳ６２のＮＯ）、何もせずにステップＳ５０に戻り、撮影処理を継続する。
【００５８】
次に、上述した調整量制御処理の動作について説明する。
図１４、及び図１５は、本実施形態による調整量制御処理の動作を説明するためのフローチャートである。調整量制御処理では、まず、ユーザにより音量調整スライドバー１０ａ（１０ｂ）、またはズーム量調整スライドバー２０ａ（２０ｂ）でスライド操作が行われたか否かを判断する（ステップＳ７０）。そして、スライド操作が行われた場合には（ステップＳ７０のＹＥＳ）、スライド方向を取得し（ステップＳ７２）、スライド速度を取得する（ステップＳ７４）。次に、機能に応じて、音量調整用設定速度テーブル７１、またはズーム量調整用設定速度テーブル７２を参照し（ステップＳ７６）、スライド方向、及びスライド速度に対応する設定速度（領域に応じて変化）を取得する（ステップＳ７８）。
【００５９】
次に、スライド速度が設定速度より大であるか否かを判断し（ステップＳ８０）、図１０（ａ）、図１０（ｃ）の領域ａ１、ａ２、ａ３の途中まで、図１１（ａ）や図１１（ｃ）の領域ａ３、ａ２、ａ１の途中までに示すように、スライド速度が設定速度より大である場合には（ステップＳ８０のＹＥＳ）、スライド操作位置に第１アイコン１４ａ（１４ｂ、２４ａ、２４ｂ）を表示し（ステップＳ８２）、設定速度で調整量（音量またはズーム量）を制御し、制御位置に第２アイコン１５ａ（１５ｂ、２５ａ、２５ｂ）を表示する（ステップＳ８４）。次に、スライド操作が停止したか否かを判断し（ステップＳ８６）、スライド操作が継続している場合には（ステップＳ８６のＮＯ）、ステップＳ８２に戻り、調整量（音量またはズーム量）の制御と第１アイコン、第２アイコン表示とを逐次更新する。
【００６０】
一方、スライド操作が停止した場合には（ステップＳ８６のＹＥＳ）、第１アイコン１４ａ（１４ｂ、２４ａ、２４ｂ）の位置と第２アイコン１５ａ（１５ｂ、２５ａ、２５ｂ）の位置とが一致したか否かを判断する（ステップＳ８８）。そして、双方の位置が一致していない場合には（ステップＳ８８のＮＯ）、ステップＳ８４に戻り、調整量（音量またはズーム量）の制御と第２アイコン表示とを逐次更新する。その後、第１アイコン１４ａ（１４ｂ、２４ａ、２４ｂ）の位置と第２アイコン１５ａ（１５ｂ、２５ａ、２５ｂ）の位置とが一致した場合には（ステップＳ８８のＹＥＳ）、図６（ａ）、（ｂ）、図７（ａ）、（ｂ）に示すように、アイコン表示を第３アイコン１６ａ（１６ｂ、２６ａ、２６ｂ）に変更したり、あるいは、図８（ａ）、（ｂ）、図９（ａ）、（ｂ）に示すように、スライダ表示を変更したりするなどし（ステップＳ９０）、メインルーチンに戻る。
【００６１】
一方、図１０（ｂ）、図１０（ｃ）の領域ａ３の途中から、図１１（ｂ）や図１１（ｃ）の領域ａ１の途中からに示すように、スライド速度が設定速度より大でない場合には（ステップＳ８０のＮＯ）、スライド速度で調整量（音量またはズーム量）を制御し、制御位置に第２アイコン１５ａ（１５ｂ、２５ａ、２５ｂ）を表示し（ステップＳ９２）、スライド操作が停止したか否かを判断し（ステップＳ９４）、スライド操作が継続している場合には（ステップＳ９４のＮＯ）、ステップＳ９２に戻り、スライド速度での調整量（音量またはズーム量）の制御と第２アイコン表示とを逐次更新する。そして、スライド操作が停止した場合には（ステップＳ９４のＹＥＳ）、そのまま当該処理を終了し、メインルーチンに戻る。
【００６２】
一方、ユーザにより音量調整スライドバー１０ａ（１０ｂ）、またはズーム量調整スライドバー２０ａ（２０ｂ）でスライド操作が行われていない場合には（ステップＳ７０のＮＯ）、タッチ操作が行われたか否かを判断する（ステップＳ９６）。そして、タッチ操作も行われていない場合には（ステップＳ９６のＮＯ）、ステップＳ７０に戻り、スライド操作、またはタッチ操作が行われるまで待機する。
【００６３】
一方、ユーザによりタッチ操作が行われた場合には（ステップＳ９６のＹＥＳ）、タッチ位置を取得し（図１５のステップＳ９８）、該タッチ位置と現在の調整量（第２アイコン１５ａ、１５ｂ：音量、第２アイコン２５ａ、２５ｂ：ズーム量）との位置関係から増加／減少方向を判別する（ステップＳ１００）。次に、機能に応じて、音量調整用設定速度テーブル７１、またはズーム量調整用設定速度テーブル７２を参照し（ステップＳ１０２）、増加／減少方向、及びタッチ位置に対応する設定速度を取得する（ステップＳ１０４）。
【００６４】
次に、タッチ位置に第１アイコン１４ａ（１４ｂ、２４ａ、２４ｂ）を表示し（ステップＳ１０６）、設定速度で調整量（音量またはズーム量）を制御し、制御位置に第２アイコン１５ａ（１５ｂ、２５ａ、２５ｂ）を表示する（ステップＳ１０８）。次に、第１アイコン１４ａ（１４ｂ、２４ａ、２４ｂ）の位置と第２アイコン１５ａ（１５ｂ、２５ａ、２５ｂ）の位置とが一致したか否かを判断する（ステップＳ１１０）。そして、双方の位置が一致していない場合には（ステップＳ１１０のＮＯ）、ステップＳ１０８に戻り、調整量（音量またはズーム量）の制御と第２アイコン表示とを逐次更新する。
【００６５】
その後、第１アイコン１４ａ（１４ｂ、２４ａ、２４ｂ）の位置と第２アイコン１５ａ（１５ｂ、２５ａ、２５ｂ）の位置とが一致すると（ステップＳ１１０のＹＥＳ）、前述した図１４のステップＳ９０に進み、図６（ａ）、（ｂ）、図７（ａ）、（ｂ）に示すように、アイコン表示を第３アイコン１６ａ（１６ｂ、２６ａ、２６ｂ）に変更したり、あるいは、図８（ａ）、（ｂ）、図９（ａ）、（ｂ）に示すように、スライダ表示を変更するなどし、その後、メインルーチンに戻る。
【００６６】
なお、上述した実施形態においては、タッチパネル６１へのタッチ（スライト操作、タッチ操作）で制御量の変更を指示したが、これに限らず、マウス等で指示するようにしてもよい。
【００６７】
また、音量や、ズーム量以外の調整量として、水量、風量、温度、レンズ移動量等に適用可能である。
【００６８】
上述した実施形態によれば、当該電子機器１の備える機能の調整量を調整するためのスライダを表示パネル６２に表示し、スライダに対してタッチパネル６１で行われたユーザによるスライド操作に応じた調整位置をスライダに対応させて表示し、ユーザによるスライド操作の速度が予め設定されている設定速度より速いか否かを判別し、ユーザによるスライド操作の速度が設定速度より速いと判別された場合には、ユーザによるスライド操作の速度より遅くなるように調整量を制御し、制御される調整量の位置をスライダに対応させて表示するようにしたので、ユーザにより急激な調整量の調整が行われても、ユーザによるスライド操作の速度より遅くなるように調整量の変化が制限されるのでユーザに与える不快感や、悪影響を回避することができる。
【００６９】
また、上述した実施形態によれば、ユーザによるスライド操作の速度が設定速度より速いと判別された場合には、設定速度に基づいて調整量を制御する一方、ユーザによるスライド操作の速度が設定速度以下と判別された場合には、ユーザによるスライド速度に基づいて調整量を制御するようにしたので、ユーザにより急激な調整量の調整が行われても、設定速度で調整量の変化が制限されるのでユーザに与える不快感や、悪影響を回避しつつ、ユーザが所望する調整量と現在の調整量とが同時に把握できるので、より少ないストレスで調整することができる。
【００７０】
また、上述した実施形態によれば、ユーザによるスライド速度が設定速度以下と判別された場合に、表示されている調整位置まで調整量を変化させた後に停止させるようにしたので、ユーザが所望する調整量に確実に調整することができる。
【００７１】
また、上述した実施形態によれば、調整量の調整範囲を分割した複数の領域の各々に設定速度を設定し、ユーザによるスライド速度が、前記スライド操作に対応する領域に対する設定速度より速いか否かを判別するようにしたので、例えば音量調整の場合に音量変化速度が速くても不快感や悪影響の低い小音量領域では、設定速度を高速とし、音量変化速度が速いと不快感や悪影響が高い大音量領域では、設定速度を低速とすることで、不快感や悪影響を回避しつつ、より少ないストレスで調整することができる。
【００７２】
また、上述した実施形態によれば、ユーザによる操作が調整位置への位置指定操作であった場合に、位置指定操作に応じた調整位置をスライダに対応させて表示し、ユーザによる操作が調整位置への位置指定操作であった場合に、位置指定操作の速度が設定速度より速いと判別し、設定速度に基づいて、表示されている調整位置まで調整量を変化させた後に停止させるようにしたので、スライド操作を省略し、位置指定操作で直接調整したい調整位置を指定した場合でも、不快感や悪影響を回避しつつ、より少ないストレスで調整することができる。
【００７３】
また、上述した実施形態によれば、ユーザ操作に応じた調整位置と実際の調整位置とが一致する場合、各調整位置の表示形態を変化させるようにしたので、一目で一定調整量であるのか、調整量が変化中であるのかを識別することができる。
【００７４】
また、上述した実施形態によれば、ユーザ操作に応じた調整位置と実際の調整位置とが一致する場合、各調整位置の表示方法を変化させるようにしたことで、表示されているスライダの表示形態を変化させるようにしたので、一目で一定調整量であるのか、調整量が変化中であるのかを識別することができる。
【００７５】
また、上述した実施形態によれば、予め設定されている調整量の変化速度をユーザにより設定可能としたので、ユーザの好みに合ったより少ないストレスで調整することができる。
【００７６】
また、上述した実施形態によれば、設定速度を、調整量が増加方向の場合と減少方向の場合とで異なるように設定可能とするようにしたので、より自然な調整量で調整することができる。
【００７７】
また、上述した実施形態によれば、音声を出力する際の音量を調整するようにしたので、不快感や、悪影響を回避しつつ、より自然な調整量で音量を調整することができる。
【００７８】
また、上述した実施形態によれば、撮影時のズーム量を調整するようにしたことで、不快感や、悪影響を回避しつつ、より自然な調整量でズーム量を調整することができる。
【００７９】
また、上述した実施形態によれば、位置指定をタッチパネルで行うようにしたことで、広く利用されているタッチパネル搭載装置で、不快感や、悪影響を回避しつつ、より自然な調整量でズーム量を調整することができる。
【００８０】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００８１】
（付記１）
付記１に記載の発明は、表示部と該表示部上における位置を指定する位置指定手段とを備える電子機器であって、当該電子機器の備える機能の調整量を調整するためのスライダを前記表示部に表示するスライダ表示手段と、前記スライダ表示手段により表示された前記スライダに対して前記位置指定手段で行われたユーザによるスライド操作の指定位置に対応する調整位置を前記スライダに対応させて表示する調整位置表示手段と、前記ユーザによるスライド操作の速度が予め設定されている調整量の変化速度より速いか否かを判別する判別手段と、前記判別手段により前記ユーザによるスライド操作の速度が前記予め設定されている調整量の変化速度より速いと判別された場合には、該ユーザによるスライド操作の速度より遅くなるように調整量を制御する制御手段と、前記制御手段により制御される調整量の位置を前記スライダに対応させて表示する制御位置表示手段とを備えることを特徴とする電子機器である。
【００８２】
（付記２）
付記２に記載の発明は、前記制御手段は、前記判別手段により前記ユーザによるスライド操作の速度が前記予め設定されている調整量の変化速度より速いと判別された場合には、該予め設定されている調整量の変化速度に基づいて調整量を制御する一方、該ユーザによるスライド操作の速度が該予め設定されている調整量の変化速度以下と判別された場合には、該ユーザによるスライド操作の速度に基づいて調整量を制御することを特徴とする付記１に記載の電子機器である。
【００８３】
（付記３）
付記３に記載の発明は、前記制御手段は、前記判別手段により前記ユーザによるスライド操作の速度が前記予め設定されている調整量の変化速度以下と判別された場合に、ユーザによるスライド操作の速度に対応する速度で、調整量を制御前記調整位置表示手段により表示されている調整位置まで前記調整量を変化させた後に停止させることを特徴とする付記２に記載の電子機器である。
【００８４】
（付記４）
付記４に記載の発明は、前記予め設定されている調整量の変化速度は、調整量の調整範囲を分割した複数の領域の各々に設定可能であり、前記判別手段は、前記ユーザによるスライド操作の速度が、前記スライド操作に対応する領域に対して設定されている調整量の変化速度より速いか否かを判別することを特徴とする付記１乃至３のいずれか一項に記載の電子機器である。
【００８５】
（付記５）
付記５に記載の発明は、前記調整位置表示手段は、前記ユーザによる操作が調整位置への位置指定操作であった場合に、前記位置指定操作によるユーザの指定位置に対応する調整位置を前記スライダに対応させて表示し、前記判別手段は、前記ユーザによる操作が調整位置への位置指定操作であった場合に、前記位置指定操作の速度が予め設定されている調整量の変化速度より速いと判別し、前記制御手段は、前記判別手段の判別結果に応じて、予め設定されている調整量の変化速度に対応する速度で、前記調整位置表示手段により表示されている調整位置まで前記調整量を変化させた後に停止させることを特徴とする付記１に記載の電子機器である。
【００８６】
（付記６）
付記６に記載の発明は、前記調整位置表示手段により表示されている調整位置と前記制御位置表示手段により表示されている調整位置とが一致するか否かを判別する一致判別手段と、前記一致判別手段により一致していると判別された場合、前記調整位置表示手段により表示されている調整位置と前記制御位置表示手段により表示されている調整位置との表示形態を変更する表示形態変更手段とを更に備えることを特徴とする付記３乃至５のいずれか一項に記載の電子機器である。
【００８７】
（付記７）
付記７に記載の発明は、前記調整位置表示手段により表示されている調整位置と前記制御位置表示手段により表示されている調整位置とが一致するか否かを判別する一致判別手段と、前記一致判別手段により一致していると判別された場合、前記スライダ表示手段により表示されているスライダの表示形態を変更するスライダ表示形態変更手段とを更に備えることを特徴とする付記３乃至５のいずれか一項に記載の電子機器である。
【００８８】
（付記８）
付記８に記載の発明は、前記予め設定されている調整量の変化速度は、ユーザにより設定可能であることを特徴とする付記１乃至４のいずれか一項に記載の電子機器である。
【００８９】
（付記９）
付記９に記載の発明は、前記予め設定されている調整量の変化速度は、調整量が増加方向の場合と減少方向の場合とで異なるように設定されることを特徴とする付記１乃至５のいずれか一項に記載の電子機器である。
【００９０】
（付記１０）
付記１０に記載の発明は、前記機能は、音声を出力する機能であって、前記調整量は、前記出力される音声の音量であることを特徴とする付記１乃至９のいずれか一項に記載の電子機器である。
【００９１】
（付記１１）
付記１１に記載の発明は、前記機能は、撮影機能であって、前記調整量は、前記撮影機能におけるズーム調整量であることを特徴とする付記１乃至９のいずれかに記載の電子機器である。
【００９２】
（付記１２）
付記１２に記載の発明は、前記位置指定手段は、タッチパネルであることを特等とする付記１乃至９のいずれか一項に記載の電子機器である。
【００９３】
（付記１３）
付記１３に記載の発明は、表示部と該表示部上における位置を指定する位置指定手段とを備える電子機器のコンピュータに、当該電子機器の備える機能の調整量を調整するためのスライダを前記表示部に表示するスライダ表示機能、前記スライダ表示機能により表示された前記スライダに対して前記位置指定機能で行われたユーザによるスライド操作の指定位置に対応する調整位置を前記スライダに対応させて表示する調整位置表示機能、前記ユーザによるスライド操作の速度が予め設定されている調整量の変化速度より速いか否かを判別する判別機能、前記判別機能により前記ユーザによるスライド操作の速度が前記予め設定されている調整量の変化速度より速いと判別された場合には、該ユーザによるスライド操作の速度より遅くなるように調整量を制御する制御機能、前記制御機能により制御される調整量の位置を前記スライダに対応させて表示する制御位置表示機能を実行させることを特徴とするプログラムである。
【符号の説明】
【００９４】
１  電子機器
２  制御部
３  操作部
４  撮像部
５  電源部
６  タッチ表示部
６１  タッチパネル
６２  表示パネル
７  記憶部
７１  音量調整用設定速度テーブル
７２  ズーム量調整用設定速度テーブル
【図１】
0005516532.tif 000002
【図２】
0005516532.tif 000003
【図３】
0005516532.tif 000004
【図４】
0005516532.tif 000005
【図５】
0005516532.tif 000006
【図６】
0005516532.tif 000007
【図７】
0005516532.tif 000008
【図８】
0005516532.tif 000009
【図９】
0005516532.tif 000010
【図１０】
0005516532.tif 000011
【図１１】
0005516532.tif 000012
【図１２】
0005516532.tif 000013
【図１３】
0005516532.tif 000014
【図１４】
0005516532.tif 000015
【図１５】
0005516532.tif 000016